(57)【要約】【課題】携帯機が車室内に閉じ込められ、その携帯機が車室外送信機からのリクエスト信号に反応してしまう場合であっても、別の携帯機を保持したユーザであれば、スマートエントリシステムを利用して車両のドアをアンロックすることを可能とする。【解決手段】車室内に閉じ込められている携帯機１が、車室外送信機２ａ〜２ｄからのリクエスト信号に反応してしまい、車室外送信機２ａ〜２ｄからの定期的なリクエスト信号の送信が停止されているとき、ユーザによるドアハンドル６ａ〜６ｄの操作が検出されると、車室外送信機２ａ〜２ｄからリクエスト信号を送信させて携帯機１との相互通信を試みる。このとき、閉じ込められた携帯機１以外の携帯機１との相互通信が行なわれて、ＩＤコードの照合が成立した場合、車両のドア１１〜１４をアンロックする。【選択図】図６
2010077666.tif 000002
【特許請求の範囲】
【請求項１】
車両側ユニットから送信されるリクエスト信号に応答して、携帯機がＩＤコードを含むレスポンス信号を返送する相互通信を行うことによって、前記車両側ユニットが、前記携帯機からレスポンス信号を受信し、そのレスポンス信号に含まれるＩＤコードを予め登録してある登録コードと照合し、その照合が成立したとの照合結果が得られたことを条件として、車両のドアのロック・アンロックを制御するスマートエントリシステムにおいて、
前記携帯機は複数個用意され、当該複数個の携帯機には、各々の携帯機を相互に識別可能な携帯機識別コードが付与されており、前記車両側ユニットは、携帯機との相互通信を通じて、当該携帯機の携帯機識別コードを取得するものであり、
前記車両側ユニットは、
前記携帯機からのレスポンス信号を受信する受信機と
前記車両の車室外を前記携帯機との通信エリアとし、当該車室外に向けてリクエスト信号を送信する車室外送信機と、
前記車両の車室内を前記携帯機との通信エリアとし、当該車室内に向けてリクエスト信号を送信する車室内送信機と、
前記車両の全てのドアがロックされるときに、前記車室内送信機にリクエスト信号の送信を行なわせ、前記受信機が、そのリクエスト信号に応答するレスポンス信号を受信したとき、その相互通信を通じて取得された携帯機識別コードを、車室内に閉じ込められた携帯機の携帯機識別コードとして記憶する識別コード記憶手段と、
前記車両のドアに設けられ、当該車両のドアをアンロックするために、前記携帯機を保持したユーザによって操作される操作部と、
前記車両のドアがロックされた状態で当該車両が駐車されているとき、定期的に車室外送信機からリクエスト信号の送信を行なわせ、そのリクエスト信号に応答するレスポンス信号を受信し、そのレスポンス信号に含まれるＩＤコードの照合が成立した状態で、前記操作部がユーザに操作されたことに基づいて、前記車両のドアをアンロックするものであって、前記車室外送信機からリクエスト信号を送信させたとき、前記携帯機との相互通信を通じて携帯機識別コードが取得された場合、その携帯機識別コードが、前記識別コード記憶手段に記憶された携帯機識別コードと一致すると、前記車室外送信機を用いた定期的なリクエスト信号の送信を停止する第１のアンロック制御手段と、
前記第１のアンロック制御手段により前記車室外送信機を用いた定期的なリクエスト信号の送信が停止されているとき、ユーザにより前記操作部が操作されたことに応じて、前記車室外送信機からリクエスト信号を送信させて前記携帯機との相互通信を試みるとともに、前記携帯機との相互通信が行なわれて、前記識別コード記憶手段に記憶された携帯機識別コードと不一致となる前記携帯機識別コードが取得された場合、前記ＩＤコードの照合成立を条件として前記車両のドアをアンロックする第２のアンロック制御手段と、を備えることを特徴とするスマートエントリシステム。
【請求項２】
前記車室外送信機は、車両の複数のドアにそれぞれ設けられ、前記第２のアンロック手段は、ユーザによって操作された操作部が設けられているドアの車室外送信機のみからリクエスト信号を送信させることを特徴とする請求項１に記載のスマートエントリシステム。
【請求項３】
前記複数個の携帯機には、各々の携帯機のキー番号を示すキーナンバーコードが付与されており、前記第２のアンロック手段は、そのキーナンバーコードを用いて、相互通信を試みる対象携帯機を絞り込むことが可能であり、前記第２のアンロック手段は、前記識別コード記憶手段にＩＤコードが記憶された携帯機を相互通信を試みる対象携帯機から除外することを特徴とする請求項１又は請求項２に記載のスマートエントリシステム。
【請求項４】
前記第２のアンロック手段は、さらに、前記キーナンバーコードを用いて、各々の携帯機の過去の使用実績から、相互通信を試みる対象携帯機の順序を決定することを特徴とする請求項３に記載のスマートエントリシステム。
【請求項５】
前記複数個の携帯機には、それぞれ異なるＩＤコードが付与されており、前記識別コード記憶手段は、前記携帯機識別コードとして、前記ＩＤコードを記憶することを特徴とする請求項１に記載のスマートエントリシステム。
【請求項６】
前記複数個の携帯機には、各々の携帯機のキー番号を示すキーナンバーコードが付与されており、前記識別コード記憶手段は、前記携帯機識別コードとして、前記キーナンバーコードを記憶することを特徴とする請求項１に記載のスマートエントリシステム。
【請求項７】
前記携帯機識別コード記憶手段は、全ての携帯機を対象として、上記携帯機識別コードの取得のための相互通信を実行させることを特徴とする請求項５又は請求項６に記載のスマートエントリシステム。
【発明の詳細な説明】
【技術分野】
【０００１】
本発明は、携帯機と車両側ユニットとが相互通信を行い、その通信結果に基づいて、車両ドアのロック・アンロックを制御するスマートエントリシステムに関する。
【背景技術】
【０００２】
従来、上述したようなスマートエントリシステムとして、たとえば特許文献１に開示されたシステムが知られている。この特許文献１に記載のシステムでは、車両ドアのドアハンドルに設けられたスイッチが操作されたことをトリガとして、本体装置（車両側ユニット）と携帯用送受信機（携帯機）との相互通信を行い、携帯機から正常な応答信号が得られた場合に、車両側ユニットによって車両ドアをロックする。
【０００３】
このシステムでは、ドアをロックする際に、携帯機の車室内への置き忘れを防止するために、車両側ユニットから小出力の確認信号と大出力の確認信号とを出力する。すなわち、携帯機による小出力の確認信号の受信可能範囲が車室内とほぼ同じになるように予め設定されるので、小出力の確認信号に対する応答があった場合、携帯機は車室内に置き忘れたものと判断できる。この場合、ドアロックは実行されず、車両の運転者等に対して置き忘れ警報が発せられる。
【０００４】
小出力信号に対する応答がなかった場合には、引き続き大出力の確認信号を送信して、携帯機からの応答の有無が確認される。この大出力の確認信号の受信可能範囲は、車体近傍の所定範囲を含むように設定されるので、大出力の確認信号に対する携帯機からの応答があった場合には、車両側ユニットは携帯機の保持しているユーザが車外にいるものと判断して、ドアのロックを行う。
【特許文献１】特開平１０−５９１３１号公報
【発明の開示】
【発明が解決しようとする課題】
【０００５】
ここで、上述したようなスマートエントリシステムにおいて、車両を使用するユーザが複数人である場合を鑑みて、携帯機が複数個用意される場合がある。このように複数個の携帯機が用意された場合、携帯機を保持するユーザが車外に出でも、車室内には、他の携帯機が残されていることも起こりえる。この場合、現状のスマートエントリシステムでは、携帯機を保持するユーザがドアハンドルに設けられたスイッチを操作してドアをロックしようとしても、車室内に他の携帯機が残されているので、その携帯機を用いた車両の盗難などを防止するため、上述した従来技術のように、ドアはロックされず、置き忘れ警報が発せられる。
【０００６】
ただし、現状のスマートエントリシステムでは、携帯機に電池切れが生じたときでも車両ドアのロックやアンロックができるように、メカニカルキーが別途用意されることが一般的である。また、ユーザの利便性を考慮し、ワイヤレスロック機能やワイヤレスアンロック機能が設けられることも多い。これらのワイヤレスロック機能及びワイヤレスアンロック機能とは、ユーザが携帯機に設けられたロックスイッチやアンロックスイッチを操作することにより、携帯機から車両側ユニットへと単方向通信が行なわれ、それにより、車両ドアをロックしたり、アンロックしたりすることができる機能である。
【０００７】
上述したメカニカルキーやワイヤレスロック機能を用いて車両ドアをロックする場合には、携帯機が車室内に残されている場合でも車両のドアがロックできてしまう。この結果、車室内に携帯機が閉じ込められる状況が発生しえる。
【０００８】
スマートエントリシステムでは、通常、車両のドアをアンロックするために、携帯機を保持したユーザが車両に接近したことを検知すべく、車室外に所定の通信エリアを形成するように定期的にリクエスト信号が出力される。携帯機がその通信エリア内に存在する場合には、リクエスト信号に応答して携帯機からレスポンス信号が返送される。このレスポンス信号の受信に基づいて、車両側ユニットは、携帯機を保持したユーザが車両に接近していることを検知し、例えばユーザがドアハンドルに触れたことをタッチセンサによって検出したときに、車両のドアをアンロックする。
【０００９】
しかしながら、その車室外通信エリアを形成するための電波が車室内に漏れて、車室内に残された携帯機が、車室外通信エリアを形成するためのリクエスト信号に対してレスポンス信号を返送してしまうと、携帯機を保持していない第三者が、車両ドアをアンロックすることができるようになってしまう。さらに、定期的なリクエスト信号の送信に対して、車室内に閉じ込められた携帯機がレスポンス信号の返送を繰り返すと、その携帯機の電池が消耗してしまう。このため、現状のスマートエントリシステムでは、車両のドアがロックされるときに、車室内を通信エリアとするリクエスト信号を送信して、携帯機からのレスポンス信号の有無に基づき、車室内に携帯機が残されているか否かを確認する。そして、車室内に携帯機が残されていることが検出された場合には、車室外通信エリアを形成するためのリクエスト信号の送信を停止させ、携帯機を保持していない第三者が、車両のドアをアンロックできないようにしている。
【００１０】
しかしながら、上述したように、車室外通信エリアを形成するためのリクエスト信号の送信を完全に停止させてしまうと、携帯機を保持したユーザも、スマートエントリシステムを利用して車両ドアをアンロックすることができなくなってしまう。
【００１１】
本発明は、上述した点に鑑みてなされたものであり、携帯機が車室内に閉じ込められ、その携帯機が車室外送信機からのリクエスト信号に反応してしまう場合であっても、別の携帯機を保持したユーザであれば、スマートエントリシステムを利用して車両のドアをアンロックすることが可能なスマートエントリシステムを提供することを目的とする。
【課題を解決するための手段】
【００１２】
上記目的を達成するために、請求項１に記載のスマートエントリシステムは、車両側ユニットから送信されるリクエスト信号に応答して、携帯機がＩＤコードを含むレスポンス信号を返送する相互通信を行うことによって、車両側ユニットが、携帯機からレスポンス信号を受信し、そのレスポンス信号に含まれるＩＤコードを予め登録してある登録コードと照合し、その照合が成立したとの照合結果が得られたことを条件として、車両のドアのロック・アンロックを制御するスマートエントリシステムにおいて、
携帯機は複数個用意され、当該複数個の携帯機には、各々の携帯機を相互に識別可能な携帯機識別コードが付与されており、車両側ユニットは、携帯機との相互通信を通じて、当該携帯機の携帯機識別コードを取得するものであり、
車両側ユニットは、
携帯機からのレスポンス信号を受信する受信機と
車両の車室外を携帯機との通信エリアとし、当該車室外に向けてリクエスト信号を送信する車室外送信機と、
車両の車室内を携帯機との通信エリアとし、当該車室内に向けてリクエスト信号を送信する車室内送信機と、
車両の全てのドアがロックされるときに、車室内送信機にリクエスト信号の送信を行なわせ、受信機が、そのリクエスト信号に応答するレスポンス信号を受信したとき、その相互通信を通じて取得された携帯機識別コードを、車室内に閉じ込められた携帯機の携帯機識別コードとして記憶する識別コード記憶手段と、
車両のドアに設けられ、当該車両のドアをアンロックするために、携帯機を保持したユーザによって操作される操作部と、
車両のドアがロックされた状態で当該車両が駐車されているとき、定期的に車室外送信機からリクエスト信号の送信を行なわせ、そのリクエスト信号に応答するレスポンス信号を受信し、そのレスポンス信号に含まれるＩＤコードの照合が成立した状態で、操作部がユーザに操作されたことに基づいて、車両のドアをアンロックするものであって、車室外送信機からリクエスト信号を送信させたとき、携帯機との相互通信を通じて携帯機識別コードが取得された場合、その携帯機識別コードが、識別コード記憶手段に記憶された携帯機識別コードと一致すると、車室外送信機を用いた定期的なリクエスト信号の送信を停止する第１のアンロック制御手段と、
第１のアンロック制御手段により車室外送信機を用いた定期的なリクエスト信号の送信が停止されているとき、ユーザにより操作部が操作されたことに応じて、車室外送信機からリクエスト信号を送信させて携帯機との相互通信を試みるとともに、携帯機との相互通信が行なわれて、識別コード記憶手段に記憶された携帯機識別コードと不一致となる携帯機識別コードが取得された場合、ＩＤコードの照合成立を条件として車両のドアをアンロックする第２のアンロック制御手段と、を備えることを特徴とする。
【００１３】
請求項１に記載の発明では、車両ドアがロックされるときに、車室内送信機からリクエスト信号が送信される。そして、そのリクエスト信号を契機として、携帯機との相互通信が行なわれた場合には、車室内に閉じ込められた携帯機があるとみなし、その相互通信を通じて取得された携帯機識別コードを記憶する。このように車室内に閉じ込められた携帯機の携帯機識別コードを記憶しているため、第１のアンロック制御手段による、車室外送信機からの定期的なリクエスト信号の送信時にレスポンス信号を受信した場合、そのレスポンス信号を返送した携帯機が、車室内に閉じ込められている携帯機であるか否かを判別することができる。車室内に閉じ込められている携帯機がレスポンス信号を返送した場合、車室外送信機から定期的なリクエスト信号の送信を継続すると、携帯機を保持していない第三者が車両のドアをアンロックすることができてしまう。また、車室内に閉じ込められた携帯機が継続してレスポンス信号を返送すると、その携帯機の電池が消耗してしまう。このため、車室外送信機からのリクエスト信号に対してレスポンス信号を返送した携帯機が、車室内に閉じ込められている携帯機であると判別された場合は、車室外送信機を用いた定期的なリクエスト信号の送信を停止する。
【００１４】
このように、第１のアンロック制御手段により車室外送信機を用いた定期的なリクエスト信号の送信が停止されているとき、第２のアンロック制御手段が、ユーザにより操作部が操作されたことに応じて、車室外送信機からリクエスト信号を送信させて携帯機との相互通信を試みる。このとき、携帯機との相互通信が行なわれて、識別コード記憶手段に記憶された携帯機識別コードと不一致となる携帯機識別コードが取得され、かつＩＤコードの照合が成立した場合、車両ドアをアンロックしようとしているユーザは、車室内に閉じ込められた携帯機とは異なる携帯機を保持しているとみなすことができるので、第２のアンロック制御手段が車両のドアをアンロックする。
【００１５】
従って、請求項１に記載のスマートエントリシステムによれば、携帯機が車室内に閉じ込められ、その携帯機が車室外送信機からのリクエスト信号に反応してしまう場合であっても、別の携帯機を保持したユーザであれば、スマートエントリシステムを利用して車両のドアをアンロックすることができるようになる。
【００１６】
請求項２に記載したように、車室外送信機は、車両の複数のドアにそれぞれ設けられ、第２のアンロック手段は、ユーザによって操作された操作部が設けられているドアの車室外送信機のみからリクエスト信号を送信させることが好ましい。このようにすることにより、操作部を操作した操作者が正規の携帯機を保持しているかどうかを素早く確認することができる。
【００１７】
請求項３に記載したように、複数個の携帯機には、各々の携帯機のキー番号を示すキーナンバーコードが付与されており、第２のアンロック手段は、そのキーナンバーコードを用いて、相互通信を試みる対象携帯機を絞り込むことが可能であり、第２のアンロック手段は、識別コード記憶手段にＩＤコードが記憶された携帯機を、相互通信を試みる対象携帯機から除外することが好ましい。これにより、操作部を操作した操作者が、車室内に閉じ込められた携帯機以外の正規の携帯機を保持しているかどうかを素早く確実に確認することができる。
【００１８】
請求項４に記載したように、第２のアンロック手段は、さらに、キーナンバーコードを用いて、各々の携帯機の過去の使用実績から、相互通信を試みる対象携帯機の順序を決定することが好ましい。これにより、操作部の操作者が正規の携帯機を保持している場合、その携帯機との相互通信をより早く行なう確率を高めることができる。
【００１９】
なお、上述した携帯機識別コードとしては、請求項５に記載したように、各々の携帯機に対して、相互に異なるように付与されたＩＤコードを用いても良いし、請求項６に記載したように、各々の携帯機のキー番号を示すキーナンバーコードを用いても良い。いずれの場合であっても、車室内に閉じ込められている携帯機を識別することができる。
【００２０】
また、請求項７に記載したように、携帯機識別コード記憶手段は、全ての携帯機を対象として、携帯機識別コードの取得のための相互通信を実行させることが好ましい。携帯機が複数用意されている場合、車室内に複数の携帯機が閉じ込められる可能性もある。上述した構成により、携帯機識別コード記憶手段は、車室内に複数の携帯機が閉じ込められた場合、閉じ込められた全ての携帯機の携帯機識別コードを記憶することができるようになる。
【発明を実施するための最良の形態】
【００２１】
以下、本発明の実施形態に係るスマートエントリシステムを、図に基づいて説明する。図１は、本実施形態によるスマートエントリシステムの全体の構成を示す構成図である。
【００２２】
本実施形態におけるスマートエントリシステムは、携帯機１と車両側ユニットとの相互通信によるＩＤコードの照合結果を基に、各ドアのロック・アンロック状態を制御する。また、車両側ユニットは、車両１０のセキュリティ性を向上するために、ＩＤコードの照合結果を基に車両１０のエンジン始動の許可・禁止状態等の制御も行う。
【００２３】
図１に示すように、携帯機１は、車両側ユニットの車室外送信機２ａ〜２ｄあるいは車室内送信機２ｅからのリクエスト信号を受信する受信機１ａ、このリクエスト信号の受信に応答して、ＩＤコード等を含むレスポンス信号を送信する送信機１ｂを備えている。携帯機ＥＣＵ１ｃは、上述した受信機１ａ及び送信機１ｂと接続され、各種の制御処理を実行する。具体的には、携帯機ＥＣＵ１ｃは、受信機１ａの受信信号に基づいてリクエスト信号の受信の有無を判定したり、そのリクエスト信号の受信に応答して、ＩＤコード等を含むレスポンス信号を生成し、送信機１ｂから送信させたりする。
【００２４】
なお、携帯機１は、複数個（例えば最大７個）用意されるが、各携帯機１の電気的構成は共通である。ただし、各携帯機１は、車両側ユニットからのレスポンス信号に応答すべく、本スマートエントリシステムが搭載される車両を示す車両コード、各々の携帯機１のキー番号を示すキーナンバーコード、及びＩＤコードを記憶している。これらのコードの中で、車両コードは、各携帯機１に共通であるが、キーナンバーコード及びＩＤコードは、各携帯機１で異なる。
【００２５】
また、図示していないが、携帯機１に電池切れが生じたときでも車両ドア１１〜１４のロックやアンロックができるように、携帯機１にはメカニカルキーが付属されている。さらに、携帯機１には、ユーザの利便性を向上するために、図示しないロックスイッチ及びアンロックスイッチも設けられている。ユーザがこれらのロックスイッチやアンロックスイッチを操作すると、携帯機１から車両側ユニットへとロック指示信号或いはアンロック指示信号が送信される（単方向通信）。これらのアンロック指示信号及びアンロック指示信号には、上述したＩＤコードが含まれており、車両側ユニットにおいて、そのＩＤコードの照合が成立すると、ロック指示信号やアンロック指示信号に応じて、車両ドア１１〜１４がロックされたり、アンロックされたりする。このように、本実施形態のスマートエントリシステムは、ワイヤレスロック機能及びワイヤレスアンロック機能も備えている。
【００２６】
車両側ユニットは、車両１０の各ドア１１〜１４に設けられた車室外送信機２ａ〜２ｄ及び車室内に設けられた車室内送信機２ｅを有する。これらの車室外送信機２ａ〜２ｄ及び車室内送信機２ｅは、車両側ユニットの照合ＥＣＵ４からの送信指示信号に基づいてリクエスト信号を送信する。
【００２７】
車室外送信機２ａ〜２ｄのリクエスト信号の到達距離は、図２に示すように、それぞれ、各車両ドア１１〜１４の周囲において、例えば０．７〜１．０ｍ程度に設定される。そして、車両のドア１１〜１４がロックされた車両１０の駐車時には、定期的に、リクエスト信号の到達距離に応じた携帯機１との通信エリアが車両１０の各ドア１１〜１４の周囲に形成され、携帯機１の保持者が車両１０に接近したことを検知できるようにしている。なお、車室外送信機２ａ〜２ｄは、車室外にリクエスト信号を送信するが、その電波は、図２において点線で示すように、車室内に多少漏れることがある。このため、携帯機１が、車室内にありながら、車室外送信機２ａ〜２ｄからのリクエスト信号に反応する場合がある。
【００２８】
また、車室内送信機２ｅによる携帯機１との通信エリアは、車両１０の運転席ドア１１の開閉時、エンジンの始動時、ドアロック時等に車室内をカバーするように形成され、携帯機１が車室内にあるか否かを検知する。なお、車室内送信機２ｅは、例えば主に前席をカバーする通信エリアを有する前席用車室内送信機と、主に後席をカバーする通信エリアを有する後席用車室内送信機と、トランク等の荷室をカバーする通信エリアを有する荷室用送信機とから構成しても良い。この場合、前席用車室内送信機、後席用車室内送信機及び荷室用送信機の各々の通信エリアを組み合わせた合算通信エリアが、車室内全体をカバーすることになる。
【００２９】
車両側ユニットは、車両１０の車室内に設けられ、送信機２ａ〜２ｅに対する送信指示信号の出力と同期してレスポンス信号受信可能状態にされて、携帯機１から送信されるレスポンス信号を受信する受信機３を有する。受信機３が受信したレスポンス信号は、照合ＥＣＵ４に出力される。照合ＥＣＵ４は、受信したレスポンス信号に含まれるＩＤコードが予め登録されている登録コードと一致等、所定の関係を満足するかの照合などを行う。なお、照合ＥＣＵ４には、予め、車両コード、各々の携帯機１のキーナンバーコード、及び各々の携帯機１のＩＤコードが登録されている。特に、キーナンバーコードとＩＤコードとは、各携帯機１毎に関連付けて記憶されている。
【００３０】
そして、照合ＥＣＵ４は、受信したＩＤコードの照合がＯＫ（成立）かＮＧ（不成立）かに応じて、ボデーＥＣＵ７、電源ＥＣＵ８とともに、ドアのロック・アンロック状態やエンジンの始動の許可・停止等を制御する。
【００３１】
電源ＥＣＵ８は、車両に搭載された各機器に対して、電源の供給や停止を制御するものである。この電源ＥＣＵ８には、エンジンを始動する条件が成立したか否かを判定するために、各センサやスイッチ（ＳＷ）からの信号が入力されている。具体的には、運転席近傍に設けられ、ユーザがエンジンの始動・停止を指示するために操作するエンジンスイッチ、車両の走行速度を検出する車速センサ、トランスミッションのシフト位置を検出するシフト位置センサ、及び運転者によってブレーキペダルが操作されたときにオン信号を出力するストップランプスイッチ、ドアの開閉を検出するためのドアカーテシランプスイッチなどの信号が電源ＥＣＵ８に入力される。
【００３２】
電源ＥＣＵ８は、例えば、ブレーキペダルが踏み込まれ、シフト位置がパーキングであり、車両の速度がゼロである場合に、エンジンスイッチが操作されたとき、照合ＥＣＵ４に対して、車室内送信機２ｅを用いた携帯機１との相互通信により、ＩＤコードの照合がＯＫであるか否かを問い合わせる。この問い合わせに対して、照合ＥＣＵ４から車室内照合ＯＫとの返答があった場合、エンジンを始動する条件が成立したと判定する。この場合、リレー回路８ａを駆動し、当該リレー回路８ａを介して、図示しないバッテリから各車両搭載機器へ電源を供給する。さらに、電源ＥＣＵ８への車室内照合ＯＫとの返答と同期して、照合ＥＣＵ４は、エンジンＥＣＵ９に対して、イモビライザーを解除するよう指示する。これにより、エンジンＥＣＵ９は、エンジンを始動させることが可能になる。なお、照合ＥＣＵ４は、ドアロック制御の実行時に、併せてエンジンＥＣＵ９に対してイモビライザー設定指示を行い、エンジンを始動禁止状態に設定する。
【００３３】
ボデーＥＣＵ７は、照合ＥＣＵ４からのロック指示やアンロック指示に応じて、各車両ドア１１〜１４のロック・アンロック状態を制御するための駆動信号をロック制御部５ａ〜５ｄに出力するものである。
【００３４】
ロック制御部５ａ〜５ｄは、車両１０の各ドア１１〜１４に設けられ、ボデーＥＣＵ７からの駆動信号に応じて、各ドア１１〜１４をロック、アンロックする。具体的には、ロック制御部５ａ〜５ｄはボデーＥＣＵ７から送信されるロック信号／アンロック信号に応じて正転／逆転するドアロックモータを有し、このドアロックモータの回転によって各車両ドア１１〜１４をロック、またはアンロックする。
【００３５】
車両１０の各ドア１１〜１４のドアハンドル６ａ〜６ｄには、タッチセンサ６ａ１〜６ｄ１が設けられており、携帯機１の保持者が、ドアハンドル６ａ〜６ｄに触れて、ドアハンドル６ａ〜６ｄに対して操作を行ったことを検出することが可能である。また、ドアハンドル６ａ〜６ｄには、プッシュスイッチとして構成されたドアロックスイッチ６ａ２〜６ｄ２も設けられている。このドアロックスイッチ６ａ２〜６ｄ２を操作すると、各ドア１１〜１４をロックすることができる。また、ドアハンドル６ａ〜６ｄは、上述した車室外送信機２ａ〜２ｄのアンテナとしての役割も果たしている。
【００３６】
なお、携帯機１の保持者による車両ドア１１〜１４に対する操作の検出は、タッチセンサ６ａ１〜６ｄ１によらず、例えば、ドアハンドル６ａ〜６ｄが手前に引かれたことを機械的に検出する検出機構等を用いても良い。また、ドアハンドル６ａ〜６ｄに、アンロックボタンを設置し、このアンロックボタンの操作により、車両ドア１１〜１４に対する操作を検出しても良い。また、タッチセンサ６ａ１〜６ｄ１とドアロックスイッチ６ａ２〜６ｄ２の一方のみを車両ドア１１〜１４に設けて、アンロックのための操作部、及びロックのための操作部として兼用しても良い。
【００３７】
さらに、車両側ユニットは、警報機１５を有する。この警報機１５は、例えば車両ドア１１〜１４のロック操作時に携帯機１の車室内への置き忘れや、いずれかのドア１１〜１４が開いている（半ドアを含む）こと、あるいは、車室内外のいずれにも携帯機１が見つからないことなどを警報する。すなわち、車両側ユニットにおいては、車両ドア１１〜１４をロックする際に、車室外送信機２ａ〜２ｄ及び車室内送信機２ｅからリクエスト信号を送信させる。このとき、車室内送信機２ｅからのリクエスト信号に応答して、携帯機１からレスポンス信号が受信された場合には、携帯機１が車室内に置き忘れられている可能性があるため、警報機１５によって警報を発する。また、車室外送信機２ａ〜２ｄ及び車室内送信機２ｅからリクエスト信号の送信に対して、携帯機１からのレスポンス信号が受信されない場合には、携帯機１が車室内外の通信エリアのいずれにも無い可能性があるので、携帯機１が通信エリア内に見つからないことを警報機１５によって警報する。なお、警報機１５による警報は、音声、ブザー、発光等によって行われる。
【００３８】
ここで、車両側ユニットと携帯機１との間で行なわれる相互通信の一例について図３（ａ），（ｂ）のタイムチャートに基づいて説明する。
【００３９】
まず、車両側ユニットは、図３（ａ）に示すように、車室外送信機２ａ〜２ｄや車室内送信機２ｅから、第１のリクエスト信号として、ウェイクアップ信号を送信する。携帯機１では、電池の消耗を抑制するため、通常は携帯機ＥＣＵ１ｃがスリープ状態にある。携帯機ＥＣＵ１ｃがスリープ状態のとき、ウェイクアップ信号を受信すると、携帯機ＥＣＵ１ｃがウェイクアップし、第１のレスポンス信号としての応答信号を返送する。
【００４０】
この応答信号を受信すると、車両側ユニットは、次に、第２のリクエスト信号として、車両コードを送信する。携帯機１は、記憶している車両コードに一致する車両コードを受信すると、第２のレスポンス信号としての応答信号を返送する。この第２のレスポンス信号としての応答信号は車両コードが一致したときのみ返送される。携帯機１から応答信号が返送されない場合、その時点で、車両側ユニットは、リクエスト信号の送信を停止する。
【００４１】
第２のレスポンス信号としての応答信号を受信すると、車両側ユニットは、次に、第３のリクエスト信号として、所定の順序でキーナンバーコードを送信する。携帯機１は、記憶しているキーナンバーコードに一致するキーナンバーコードを受信したタイミングで、第３のレスポンス信号として応答信号を返送する。なお、図３（ａ），（ｂ）に示す例では、携帯機１が“キーナンバーコード２”を記憶しており、車両側ユニットから、“キーナンバーコード２”を受信したタイミングで応答信号を返送する例を示している。
【００４２】
車両側ユニットは、第３のレスポンス信号としての応答信号を受信すると、次に、第４のリクエスト信号として、ＩＤコードの返送を要求するリクエスト信号を送信する。携帯機１は、このリクエスト信号に応答して、ＩＤコードを返送する。
【００４３】
このような車両側ユニットと携帯機１との相互通信を通じて、車両側ユニットは、通信相手となった携帯機１のキーナンバーコード及びＩＤコードを取得することができる。
【００４４】
次に、本実施形態の特徴部分に係わる、各ドア１１〜１４がロックされたときに携帯機１が車室内に閉じ込められた場合の、携帯機閉じ込め時制御について、図４〜図６のフローチャートを用いて説明する。
【００４５】
なお、ユーザがスマートエントリシステムを利用して車両の各ドア１１〜１４をロックする場合には、ドアハンドルのドアロックスイッチ６ａ２〜６ｄ２が操作されたときに、車室内送信機２ｅからリクエスト信号が送信され、車室内照合が実施される。この車室内照合において、携帯機１からレスポンス信号が返送され、かつＩＤコードの照合が成立した場合、ユーザは携帯機１を車室内に置き忘れている可能性がある。従って、車両側ユニットは、車両ドア１１〜１４をロックすることなく、警報機１５により携帯機１の置き忘れ警報を実施する。このため、ユーザがスマートエントリシステムを利用して車両の各ドア１１〜１４をロックする場合には、原則として、携帯機１が車室内に閉じ込められることはない。
【００４６】
しかしながら、ユーザが、携帯機１に付属するメカニカルキーを用いて各ドア１１〜１４をロックしたり、携帯機１に設けられたロックスイッチを操作して各ドア１１〜１４をロックしたりした場合には、携帯機１が車室内に残されている場合でも車両の各ドア１１〜１４がロックできてしまう。このため、車室内に携帯機１が閉じ込められる状況が発生しえる。図４のフローチャートでは、携帯機１のワイヤレスロック機能を利用して車両の各ドア１１〜１４がロックされる場合の処理について示しているが、メカニカルキーにより機械的に全ドア１１〜１４がロックされる場合は、単に、図４の“全ドアロック”処理以降の処理が実行される点が相違するだけである。
【００４７】
まず、ステップＳ１００では、ワイヤレスロック機能によるロック要求があったか否かを判定する。すなわち、ユーザが携帯機１のロックスイッチを操作することにより、携帯機１から照合が成立するＩＤコードを含むロック指示信号が送信され、車両側ユニットにおいて受信されたか否かを判定する。このステップＳ１００において、ロック要求ありと判定されるとステップＳ１１０の処理に進む。ステップＳ１１０では、ロック指示信号に含まれるＩＤコードを記憶することにより、ワイヤレスロックに利用された携帯機１を特定できるようにしておく。
【００４８】
ステップＳ１２０では、全ドア１１〜１４が閉じられているか否かを判定する。この判定処理において、全ドア１１〜１４が閉じられていないと判定されると、全てのドア１１〜１４をロックすることができなので、ステップＳ１３０において、警報器１５を用いてユーザに対して警告を行なう。一方、全てのドア１１〜１４が閉じられていると判定された場合には、ステップＳ１４０に進み、全てのドア１１〜１４をロックする。
【００４９】
続くステップＳ１５０では、車室内送信機２ｅからリクエスト信号を送信して車室内照合を行なう。この車室内照合では、車室内に閉じ込められている携帯機１がある場合、上述した車両側ユニットと携帯機１との相互通信が行なわれ、携帯機１からＩＤコードが取得される。ただし、ステップＳ１５０における車室内照合において実行される相互通信は、上述した相互通信に限られるものではない。
【００５０】
例えば、車両側ユニットの照合ＥＣＵ４には、各携帯機１のキーナンバーコードとＩＤコードとが関連付けて記憶されているので、キーナンバーコードが確定した段階、すなわち、携帯機１から第３のレスポンス信号としての応答信号を受信した段階で相互通信を終了し、確定したキーナンバーコードから、携帯機１のＩＤコードを特定しても良い。
【００５１】
また、ＩＤコードではなく、キーナンバーコードでも携帯機１を識別できる。このため、車両側ユニットと携帯機１との相互通信を通じて、携帯機１のキーナンバーコードが確定することで、その確定により携帯機１のキーナンバーコードを取得し、車室内に閉じ込められた携帯機１の識別に用いても良い。
【００５２】
さらに、上述した相互通信では、携帯機１をウェイクアップさせた後、携帯機１に、車両コードと、キーナンバーコードに対して別個の応答信号を返送させた。しかしながら、車両側ユニットが、車両コードとキーナンバーコードとを連続して送信し、携帯機１が、車両コードが一致し、かつ一致するキーナンバーコードを受信したタイミングで１つの応答信号を返送するようにしても良い。
【００５３】
ステップＳ１６０では、ステップＳ１５０における車室内照合において、携帯機１との相互通信が行なわれて、ＩＤコードが取得されたか否かに基づいて、車室内に携帯機１が残されているか否かを判定する。車室内に携帯機１が残されていると判定されると、ステップＳ１７０の処理に進み、車室内に携帯機１が残されていないと判定されると、図４に示す処理を終了する。
【００５４】
ステップＳ１７０では、車室内に残され、車室内に閉じ込められている携帯機１のＩＤコードを記憶する。なお、上述したように、携帯機１のキーナンバーコードを記憶しても良い。
【００５５】
続くステップＳ１８０では、全ての携帯機１を対象とした車室内照合が完了したか否かを判定する。上述したように、車両側ユニットと携帯機１との相互通信においては、車両側ユニットから所定の順番でキーナンバーコードが送信され、携帯機１は、記憶しているキーナンバーコードに一致するキーナンバーコードを受信したタイミングで応答信号を返送する。このため、携帯機１からキーナンバーコードに対する応答信号を受信しても、その後に、まだ送信すべきキーナンバーコードが残っている場合には、その残されたキーナンバーコードを送信しなければ、車室内に複数個の携帯機１が残されている場合、全ての携帯機１のＩＤコードを取得することができない。そのため、ステップＳ１８０では、応答信号を返送した携帯機１のキーナンバーコードが、所定の順番で送信されるキーナンバーコードの最後のコードであるか否かにより、全ての携帯機１を対象とした車室内照合が完了したか否かを判定する。この判定処理において、まだ全ての携帯機１を対象とした車室内照合が完了していないと判定されると、ステップＳ１５０の処理に戻り、残されているキーナンバーコードを送信することにより、全ての携帯機１を対象として車室内照合を行なう。
【００５６】
上述した図４のフローチャートに示す処理を実施することにより、車両ドア１１〜１４がロックされたときに、携帯機１が車室内に閉じ込められた場合、その閉じ込められた携帯機１を識別するための情報（ＩＤコード等）を取得し、記憶することができる。
【００５７】
ここで、車室内に携帯機１が閉じ込められたままで、車室外送信機２ａ〜２ｄから定期的なリクエスト信号の送信が行なわれると、車室内に漏れた電波にその携帯機１が反応してしまうことがある。この場合、携帯機１を保持していない第三者が、車両ドア１１〜１４をアンロックすることができてしまったり、携帯機１が定期的なリクエスト信号の送信に対してレスポンス信号の返送を繰り返すことで、携帯機１の電池が消耗したりするとの問題が生じる。そのため、従来のスマートエントリシステムでは、車室内に携帯機１が残されたまま、車両の各ドア１１〜１４がロックされたときには、車室外送信機２ａ〜２ｄからのリクエスト信号の送信を完全に停止させていた。
【００５８】
しかしながら、車室外送信機２ａ〜２ｄからのリクエスト信号の送信を完全に停止させてしまうと、携帯機１を保持したユーザであっても、スマートエントリシステムを利用して車両ドアをアンロックすることができなくなってしまう。
【００５９】
本実施形態では、車室内に携帯機１が閉じ込められ、その携帯機が車室外送信機２ａ〜２ｄからのリクエスト信号に反応してしまう場合であっても、別の携帯機１を保持したユーザであれば、スマートエントリシステムを用いて、車両のドア１１〜１４をアンロックすることができるように、図５及び図６のフローチャートに示す処理を実行する。なお、図５のフローチャートに示す処理は、車両の各ドア１１〜１４がロックされて車両が駐車されているときに実行されるものである。また、図６のフローチャートに示す処理は、図５のフローチャートに示す処理により、定期的な車室外照合が停止されたときに実行されるものである。
【００６０】
まず、図５のフローチャートのステップＳ２００では、車室外送信機２ａ〜２ｄからリクエスト信号を送信させることにより、車室外照合を行なう。続くステップＳ２１０では、ステップＳ２００における車室外照合において、携帯機１との相互通信が行なわれ、ＩＤコードの照合が成立したか否かに基づいて、車室外送信機２ａ〜２ｄの通信エリア内に携帯機１があるか否かを判定する。車室外送信機２ａ〜２ｄの通信エリア内に携帯機１がないと判定された場合には、ステップＳ２２０に進み、所定時間待機する。その後、再びステップＳ２００の処理に進んで、車室外照合を行なう。このように、携帯機１が見つからない場合には、車室外送信機２ａ〜２ｄからの定期的なリクエスト信号の送信を継続する。
【００６１】
一方、ステップＳ２１０において、車室外送信機２ａ〜２ｄの通信エリア内に携帯機１があると判定された場合には、ステップＳ２３０の処理に進む。ステップＳ２３０では、車室外照合により取得したＩＤコード（又はキーナンバーコード）と、図４のフローチャートのステップＳ１７０で記憶したＩＤコード（又はキーナンバーコード）とを比較する。そして、この比較の結果、ステップＳ２４０において、車室外照合により取得したＩＤコードと、記憶したＩＤコードが一致すると判定されると、ステップＳ２８０に進んで、車室外照合を停止させる。
【００６２】
つまり、本実施形態では、車室内に閉じ込められた携帯機１のＩＤコード（又はキーナンバーコード）を記憶しているため、車室外送信機２ａ〜２ｄからの定期的なリクエスト信号の送信時に携帯機１からのレスポンス信号を受信した場合、そのレスポンス信号を返送した携帯機１が、車室内に閉じ込められている携帯機１であるか否かを判定することができる。車室内に閉じ込められている携帯機１がレスポンス信号を返送した場合、車室外送信機２ａ〜２ｄから定期的なリクエスト信号の送信を継続すると、携帯機１を保持していない第三者が車両のドア１１〜１４をアンロックすることができてしまう。また、車室内に閉じ込められた携帯機１が継続してレスポンス信号を返送すると、その携帯機１の電池が消耗してしまう。このため、車室外送信機２ａ〜２ｄからのリクエスト信号に対してレスポンス信号を返送した携帯機１が、車室内に閉じ込められている携帯機１であると判別された場合は、車室外送信機２ａ〜２ｄを用いた定期的なリクエスト信号の送信を停止する。
【００６３】
一方、ステップＳ２４０にて、車室外照合により取得したＩＤコードと、記憶したＩＤコードが一致しないと判定された場合には、ステップＳ２５０に進む。ステップＳ２５０では、車室内送信機２ｅからリクエスト信号を送信させて、車室内照合を行なう。ステップＳ２５０にて、車室内照合を行なう理由は、ユーザが車両のドア１１〜１４をロックした時点では、車室内に無かった携帯機１が、ロック後に、車室内に閉じ込められる場合が考えられるためである。例えば、ユーザが、携帯機１を水に濡らしたくない場合などに、ウィンドウの上部を少し空けた状態にしておき、ドア１１〜１４をロックした後に、メカニカルキーを携帯機１から取り外し、ウィンドウ上部の隙間から携帯機１だけを車室内に投げ入れることが考えられる。このため、車室外照合により携帯機１が検知された場合、ステップＳ２５０で、その携帯機１が車室内に閉じ込められたものかどうかを確認する。なお、この車室内照合においては、携帯機１との相互通信において、ステップＳ２００の車室外照合において検知された携帯機のキーナンバーコードのみを送信する。ただし、この車室内照合においても、全ての携帯機１を対象として相互通信を行なっても良い。
【００６４】
そして、ステップＳ２５０の車室内照合において、車室外照合にて検知された携帯機１と同じ携帯機１が検出されたとステップＳ２６０の判定処理にて判定された場合、ステップＳ２７０に進んで、車室内に閉じ込められている携帯機のＩＤコードとして、その携帯機１のＩＤコードを記憶する。その後、ステップＳ２８０に進んで、車室外照合を停止させる。ステップＳ２６０において、同じ携帯機１が検出されないと判定された場合には、ステップＳ２２０に進み、定期的な車室外照合を継続する。
【００６５】
つまり、車室内に閉じ込められている携帯機１以外の携帯機１がレスポンス信号を返送した場合や、携帯機１からのレスポンス信号を受信しない場合には、車室外送信機２ａ〜２ｄから定期的なリクエスト信号の送信を継続しても、携帯機１を保持していない第三者が車両のドア１１〜１４をアンロックすることはできない。また、車室内に閉じ込められた携帯機１の電池が消耗することもない。従って、本実施形態では、車室内に閉じ込められている携帯機１からレスポンス信号を受信していないときには、車室外送信機２ａ〜２ｄからの定期的なリクエスト信号の送信を継続させる。
【００６６】
なお、図５のフローチャートのステップＳ２００の車室外照合において、ＩＤコードの照合が成立し、かつそのＩＤコードは、車室内に閉じ込められた携帯機１のＩＤコードではない場合、車両は、ドア１１〜１４のアンロックが可能なアンロックスタンバイ状態となる。このアンロックスタンバイ状態とは、照合ＥＣＵ４が、携帯機１を保持しているユーザが接近している車両ドア１１〜１４のタッチセンサ６ａ１〜６ｄ１を起動することにより、ユーザによるドアハンドル操作を検知可能にした状態を言う。
【００６７】
ユーザがいずれのドアに接近しているかは、以下に説明する２つの手法によって検知可能である。まず、第１の手法では、車室外送信機２ａ〜２ｄから、車室外送信機２ａ〜２ｄごとに固有の識別コードを含むリクエスト信号を送信させ、携帯機１に、その識別コード及びＩＤコードをレスポンス信号として返送させる。これにより、レスポンス信号に含まれる送信機の識別コードから、携帯機１の保持者が、いずれの車両ドア１１〜１４に接近しているのかを検知できる。第２の手法では、照合ＥＣＵ４が、各送信機２ａ〜２ｄに対し、時間的にずれたタイミングで順番にリクエスト信号を送信するように指示する。この場合、携帯機１からのレスポンス信号の受信タイミングから、携帯機１の保持者が接近している車両ドア１１〜１４を検知することができる。
【００６８】
携帯機１の保持者が、アンロックスタンバイ状態に設定された車両ドア１１〜１４のドアハンドル６ａ〜６ｄに触れると、その携帯機１の保持者のドアハンドル操作がタッチセンサ６ａ１〜６ｄ１によって検出され、その検出信号は照合ＥＣＵ４に送信される。すると、照合ＥＣＵ４は、全ての車両ドア１１〜１４をアンロックすべく、ボデーＥＣＵ７に指示を与える。この指示信号に基づいて、ボデーＥＣＵ７は、各車両ドア１１〜１４のロック制御部５ａ〜５ｄにアンロック駆動信号を出力して、各車両ドア１１〜１４をアンロックする。
【００６９】
次に、図６のフローチャートを参照しつつ、定期的な車室外照合が停止されたときに実行される処理について説明する。
【００７０】
まず、ステップＳ３００では、ドアハンドル操作が、タッチセンサ６ａ１〜６ｄ１によって検出されたか否かが判定される。なお、タッチセンサ６ａ１〜６ｄ１は、例えば定期的にまたは常時起動されて、ドアハンドル操作が検知可能な状態に設定される。
【００７１】
ステップＳ３００において、タッチセンサ６ａ１〜６ｄ１によりドアハンドル操作が検出されたと判定されると、ステップＳ３１０の処理が実行される。ステップＳ３１０では、ドアハンドル６ａ〜６ｄが操作されたドアに設置されている車室外送信機２ａ〜２ｄのみから、リクエスト信号を送信させて、携帯機１との相互通信を試みる。このようにすることにより、ドアハンドル６ａ〜６ｄを操作した操作者が正規の携帯機１を保持しているかどうかを素早く確認することができる。
【００７２】
ただし、ステップＳ３１０の車室外照合においては、上述した車両側ユニットと携帯機１との相互通信において、車室内に閉じ込められている携帯機１のキーナンバーコードを、車室外送信機２ａ〜２ｄから送信するキーナンバーコードから除外する。これにより、ドアハンドル６ａ〜６ｄを操作した操作者が、車室内に閉じ込められた携帯機１以外の正規の携帯機１を保持しているかどうかを確実にかつより素早く確認することができる。
【００７３】
さらに、ステップＳ３１０の車室外照合では、各々の携帯機１の過去の使用実績から、相互通信を試みる対象携帯機の順序を決定し、その順序に従ってキーナンバーコードを送信する。この順序は、例えば図７に示すように、最後にドアロックした携帯機１を優先順位１、前回イモビライザーの解除をした携帯機１を優先順位２、今までに使われたことがある携帯機１を優先順位３、使われたことがない携帯機１を優先順位４のように決定する。なお、同順位に複数の携帯機１がある場合には、キーナンバーコードの小さい順とする。このようにして、キーナンバーコードの送信順位を決定することにより、ドアハンドル６ａ〜６ｄの操作者が正規の携帯機１を保持している場合、その携帯機１との相互通信をより早く行なう確率を高めることができる。
【００７４】
ステップＳ３２０では、ステップＳ３１０の車室外照合において、携帯機１との相互通信が行なわれ、ＩＤコードの照合がＯＫとなったか否かを判定する。この判定処理にて、照合ＮＧと判定された場合には、ステップＳ３００の処理に戻り、照合ＯＫと判定されたときには、ステップＳ３３０の処理に進む。ステップＳ３３０では、ボデーＥＣＵ７がロック制御部５ａ〜５ｄに対して各ドア１１〜１４をアンロックさせるための駆動信号を出力する。これにより、車両の各ドア１１〜１４がアンロックされる。
【００７５】
このように、本実施形態によれば、車室外送信機２ａ〜２ｄを用いた定期的なリクエスト信号の送信が停止されているとき、図６のフローチャートに示す処理が実行され、ユーザによりドアハンドル６ａ〜６ｄが操作されたことが検出されると、車室外送信機２ａ〜２ｄからリクエスト信号を送信させて携帯機１との相互通信を試みる。このとき、携帯機１との相互通信が行なわれて、ＩＤコードの照合が成立した場合、車両ドア１１〜１４をアンロックしようとしているユーザは、車室内に閉じ込められた携帯機１とは別の携帯機１を保持しているとみなすことができるので、車両のドア１１〜１４をアンロックする。従って、別の携帯機１を保持したユーザは、スマートエントリシステムを利用して、車両ドアのアンロックを行なうことが可能になる。
【００７６】
以上、本発明の好ましい実施形態を説明したが、本発明は、上述した実施形態になんら制限されることなく、本発明の主旨を逸脱しない範囲において、種々変形して実施することができる。
【００７７】
例えば、図６のフローチャートのステップＳ３１０の車室外照合では、車室内に閉じ込められた携帯機１のキーナンバーコードを除外したキーナンバーコードを送信するようにした。しかし、全てのキーナンバーコードを送信するようにしても良い。この場合、車室内に閉じ込められている携帯機１のキーナンバーコードを送信したタイミングでしか、応答信号を受信しない場合、ステップＳ３２０にて、照合ＮＧと判定するようにすれば良い。
【図面の簡単な説明】
【００７８】
【図１】実施形態におけるスマートエントリシステムの全体の構成を示す構成図である。
【図２】車室外送信機及び車室内送信機の通信エリアについて説明するための説明図である。
【図３】（ａ），（ｂ）は、車両側ユニットと携帯機との間で行なわれる相互通信の一例を示すタイムチャートである。
【図４】各ドアがロックされたときに携帯機が車室内に閉じ込められた場合の、携帯機閉じ込め時制御のための、閉じ込められた携帯機のＩＤコードを取得して、記憶するための処理を示すフローチャートである。
【図５】各ドアがロックされたときに携帯機が車室内に閉じ込められた場合の、携帯機閉じ込め時制御において、車室外照合の継続・停止を制御するための処理を示すフローチャートである。
【図６】定期的な車室外照合が停止されたときに、スマートエントリシステムによりドアのアンロックを可能とするために実行される処理を示すフローチャートである。
【図７】図６のフローチャートのステップＳ３１０の車室外照合における、携帯機１と通信する際の優先順位の一例を示す図である。
【符号の説明】
【００７９】
１  携帯機
１ａ  受信機
１ｂ  送信機
１ｃ  携帯機ＥＣＵ
２ａ〜２ｄ  車室外送信機
２ｅ  車室内送信機
３  受信機
４  照合ＥＣＵ
６ａ２〜６ｄ２  ドアロックスイッチ
７  ボデーＥＣＵ
８  電源ＥＣＵ
９  エンジン制御装置
１０  車両
１５  警報機
【図１】
2010077666.tif 000003
【図２】
2010077666.tif 000004
【図３】
2010077666.tif 000005
【図４】
2010077666.tif 000006
【図５】
2010077666.tif 000007
【図６】
2010077666.tif 000008
【図７】
2010077666.tif 000009